(57)【要約】【課題】保持器セグメント間で尖った角部による衝突を防ぐことができると共に、保持器セグメントの強度低下を防止する。【解決手段】ころ軸受用の分割保持器は、ころを収容する保持器セグメント６を複数周方向に沿って環状に配列して構成される。各保持器セグメント６は、周方向に隣り合う他の保持器セグメント６に対向する外側面２３ｂを有している。この外側面２３ｂの径方向に延在する角部５１に、断面が円弧形状となる部分を含む突出部５５が設けられている。【選択図】図３
2015152045.tif 000002
【特許請求の範囲】
【請求項１】
ころを収容する保持器セグメントを複数周方向に沿って環状に配列して構成されるころ軸受用の分割保持器であって、
前記各保持器セグメントは、周方向に隣り合う他の保持器セグメントに対向する外側面を有し、
前記外側面の径方向に延在する角部と、前記外側面の軸方向に延在する角部との内の少なくとも一方の角部に、断面が円弧形状となる部分を含む突出部が設けられていることを特徴とするころ軸受用の分割保持器。
【請求項２】
前記突出部において前記断面が円弧形状となる部分は、周方向隣りに存在して当接可能となる他の保持器セグメント側の領域に設けられている請求項１に記載のころ軸受用の分割保持器。
【請求項３】
内輪と、外輪と、前記内輪と前記外輪との間の環状空間に転動可能に配置された複数のころと、請求項１又は２に記載の分割保持器と、を備えていることを特徴とするころ軸受。
【発明の詳細な説明】
【技術分野】
【０００１】
本発明は、ころ軸受用の分割保持器及びころ軸受に関する。
【背景技術】
【０００２】
ころ軸受の内輪と外輪との間を転動する複数のころを周方向に沿って所定間隔毎に保持する保持器として、複数の保持器セグメントにより構成される分割保持器が知られている（例えば特許文献１参照）。これら保持器セグメントは、内輪と外輪との間の環状空間に、周方向に沿って環状に配列されており、各保持器セグメントは、ころを収容するポケットを有している。
【０００３】
図１０は、分割保持器の一部を径方向外側から見た場合の模式的な説明図である。図１０に示す各保持器セグメント９０は、単一のころ９９を収容する単一のポケット９１を有している。各保持器セグメント９０は、軸方向に所定間隔を隔てて互いに対向する一対のリム部９２と、周方向に所定間隔を隔てて互いに対向する一対の柱部９３とを有しており、一対のリム部９２と一対の柱部９３との間がポケット９１となる。
【先行技術文献】
【特許文献】
【０００４】
【特許文献１】特開２００７−２４７６８７号公報
【発明の概要】
【発明が解決しようとする課題】
【０００５】
保持器セグメント９０を内輪と外輪との間の環状空間に配列した状態では、周方向に隣り合う保持器セグメント９０間に隙間が設けられており、ころ軸受が回転すると、隣り合う保持器セグメント９０同士が衝突したり接触した状態となったりすることがある。この際、柱部９３の外側面９３ａ同士が衝突（接触）する場合の他に、一方の保持器セグメント９０が傾くことでその外側面９３ａの尖った角部９４が、その隣りの保持器セグメント９０の外側面９３ａの一部に衝突する場合があり、この衝突により保持器セグメント９０が損傷するおそれがある。
【０００６】
そこで、図１１に示すように、保持器セグメント９０が有する柱部９３の外側面９３ａの角部９５を、断面円弧形状とすることが考えられる。しかし、この場合、保持器セグメント９０の強度が、以下に説明するように、低下するおそれがある。
【０００７】
すなわち、周方向に隣り合う保持器セグメント９０同士が接触（衝突）すると、この接触により各保持器セグメント９０には周方向の荷重（衝撃荷重）が作用するが、一対のリム部９２と一対の柱部９３とにより矩形枠状に構成されている保持器セグメント９０の場合、この接触による荷重（衝撃荷重）を、リム部９２が負担する、つまり、リム部９２によって抗する構成となる。
そこで、図１０の拡大図に示すように、角部９４を断面円弧形状とせずに尖った形状とする場合、周方向に隣り合う保持器セグメント９０同士が接触（衝突）すると、この接触による荷重を、リム部９２に広い面積の接触面９７を介して直接的に伝達することができる。つまり、接触による荷重をリム部９２が効果的に負担することができる構成となり、前記接触による荷重（衝撃荷重）に抗する強度が確保される。
【０００８】
しかし、図１１の拡大図に示すように、角部９５を断面円弧形状とした場合には、周方向に隣り合う保持器セグメント９０同士が接触（衝突）すると、この接触による荷重は、リム部９２に狭い面積の接触面９８を介して伝達され、この接触による荷重（衝撃荷重）をリム部９２に直接的に伝達させることが可能となる接触面（９８）の接触幅が、図１０に示す形態の場合と比較して減少する。すなわち、接触による荷重（衝撃荷重）は、一部が、接触面９８を介して直接的にリム部９２に伝達されるが、残りの多くが、柱部９３、及びこの柱部９３とリム部９２との間の連結部９６を通じてリム部９２に伝達される。この結果、角部９５を断面円弧形状とすると、連結部９６に大きな曲げ応力が作用する構成となり、前記接触による荷重（衝撃荷重）に抗する強度が低下する。
【０００９】
そこで本発明は、保持器セグメント間で尖った角部による衝突を防ぐことができる構成を備えていると共に、保持器セグメントの強度低下を防止することが可能となる分割保持器、及びこの分割保持器を備えたころ軸受を提供することを目的とする。
【課題を解決するための手段】
【００１０】
（１）本発明は、ころを収容する保持器セグメントを複数周方向に沿って環状に配列して構成されるころ軸受用の分割保持器であって、前記各保持器セグメントは、周方向に隣り合う他の保持器セグメントに対向する外側面を有し、前記外側面の径方向に延在する角部と、前記外側面の軸方向に延在する角部との内の少なくとも一方の角部に、断面が円弧形状となる部分を含む突出部が設けられている。
本発明によれば、各保持器セグメントは、周方向に隣り合う他の保持器セグメントに対向する外側面を有し、この外側面の角部に突出部が設けられている。そして、この突出部に、断面が円弧形状となる部分が含まれることから、周方向に隣り合う保持器セグメント間で、尖った角部による衝突を防ぐことができ、保持器セグメントの損傷を防止することが可能となる。更に、保持器セグメントの角部の断面を円弧形状としても、この円弧形状となる部分は突出部であるため、保持器セグメント間の接触（衝突）による荷重をリム部に直接的に伝達させることが可能となる接触面の接触幅が減少するのを防ぐことができ、前記接触による荷重（衝撃荷重）に抗する強度が低下するのを防止することが可能となる。
【００１１】
（２）また、前記突出部において前記断面が円弧形状となる部分は、周方向隣りに存在して当接可能となる他の保持器セグメント側の領域に設けられているのが好ましく、これにより、保持器セグメントの損傷を防止する効果がより一層高まる。
【００１２】
（３）また、本発明のころ軸受は、内輪と、外輪と、前記内輪と前記外輪との間の環状空間に転動可能に配置された複数のころと、前記分割保持器と、を備えている。
本発明によれば、分割保持器において、周方向に隣り合う保持器セグメント間で、尖った角部による衝突を防ぐことができると共に、保持器セグメント間の接触による荷重（衝撃荷重）に抗する強度の低下を防止することが可能となり、このような分割保持器を備えたころ軸受が得られる。
【発明の効果】
【００１３】
本発明によれば、周方向に隣り合う保持器セグメント間で、尖った角部による衝突を防ぐことができると共に、保持器セグメント間の接触による荷重（衝撃荷重）に抗する強度の低下を防止することが可能である。
【図面の簡単な説明】
【００１４】
【図１】本発明の保持器を備えたころ軸受を示す要部断面図である。
【図２】ころ軸受を示す側面図である。
【図３】保持器セグメントを示す斜視図である。
【図４】図３のＡ−Ａ矢視断面図である。
【図５】図３に示す保持器セグメントを含む分割保持器の一部を径方向外側から見た場合の模式的な説明図である。
【図６】保持器セグメント（他の形態）を示す斜視図である。
【図７】図６に示す保持器セグメントを含む分割保持器の一部を軸方向から見た場合の模式的な説明図である。
【図８】図７に示す保持器セグメントの突出部の変形例を示す説明図である。
【図９】図５に示す保持器セグメントの突出部の変形例を示す説明図である。
【図１０】従来の分割保持器（その１）の一部を径方向外側から見た場合の模式的な説明図である。
【図１１】従来の分割保持器（その２）の一部を径方向外側から見た場合の模式的な説明図である。
【発明を実施するための形態】
【００１５】
以下、本発明の実施形態について図面を参照しながら説明する。
図１は、本発明の保持器を備えたころ軸受を示す要部断面図である。図２は、このころ軸受を示す側面図である。本実施形態のころ軸受１は、円すいころ軸受であり、内輪２と、外輪３と、内輪２と外輪３との間の環状空間に転動可能に配置された複数の円すいころ４と、これら円すいころ４を保持する保持器５とを備えている。本実施形態の保持器５は、複数の保持器セグメント６を備えている分割保持器である。内輪２、外輪３及び円すいころ４は、鋼製からなり、例えば軸受鋼である。
【００１６】
図１において、外輪３の内周には、円すいころ４が転動するように、円すい面からなる外輪軌道面３ａが形成されている。内輪２の外周には、円すいころ４が転動するように、円すい面からなる内輪軌道面２ａが形成されている。内輪２の軸方向の両側には、外径の大きい大鍔部２ｂ及び外径の小さい小鍔部２ｃが径方向外方に突出して設けられており、大鍔部２ｂには、円すいころ４の軸方向一方側の大端面４ａが接触する。円すいころ４及び分割保持器５が存在する軸受内部には、グリース等の潤滑剤が設けられており、このグリースによって円すいころ軸受１の潤滑が行われる。
【００１７】
分割保持器５は、複数の保持器セグメント６を有しており（図２参照）、これら保持器セグメント６を、内輪２と外輪３との間の環状空間に周方向に沿って環状に複数配列することによって構成されている。
また、この円すいころ軸受１は、各保持器セグメント６が円すいころ４によって案内される「ころ案内タイプ」のものである。つまり、保持器セグメント６の径方向（及び軸方向）についての位置決めが、円すいころ４によって行われる。これにより、各保持器セグメント６は内輪軌道面２ａ及び外輪軌道面３ａに接触しない。
【００１８】
ころ案内とするために、各保持器セグメント６の内周面と内輪２の外周面との間、及び各保持器セグメント６の外周面と外輪３の内周面との間には、それぞれ所定の径方向隙間Ｓ１，Ｓ２が設けられている。また、隣接する保持器セグメント６の間には、所定の円周方向隙間Ｓ３が設けられている。そして、後にも説明するが、各保持器セグメント６は、円すいころ４の外周面４ｃに接触することによって保持器セグメント６の径方向についての位置決めをするための保持部３１，３２，３３，３４（図３、図４参照）を有している。
【００１９】
図３は、保持器セグメント６を示す斜視図である。図４は、図３のＡ−Ａ矢視断面図である。本実施形態の保持器セグメント６は、合成樹脂製であり、射出成型によって矩形枠状に形成されたものである。具体的に説明すると、保持器セグメント６は、一対のリム部２１，２２と、一対の柱部２３，２４とを備えている。第１リム部２１と第２リム部２２とは、保持する円すいころ４の軸方向に所定間隔を隔てて互いに対向している。第１柱部２３と第２柱部２４とは、前記軸方向に直交する方向（分割保持器５の周方向）に所定間隔を隔てて互いに対向している。リム部２１，２２は柱部２３，２４の間に設けられており、これらリム部２１，２２と柱部２３，２４とは連結され一体となり矩形枠状となる。そして、この保持器セグメント６には、リム部２１，２２と柱部２３，２４とによって、単一の円すいころ４を収容するための単一のポケット２５が形成されている。つまり、リム部２１，２２及び柱部２３，２４によって囲まれた領域が、ポケット２５となる。なお、図３では、円すいころ４を省略している。
【００２０】
リム部２１，２２は直線板状であり、その内側面２１ａ，２２ａは径方向及び周方向に広がる面となるが、本実施形態では、内側面２１ａ，２２ａの中央にリセス部（凹部）２７が設けられている。
柱部２３，２４は直線板状であり、その内側面２３ａ，２４ａは径方向及び軸方向に広がる面となるが、本実施形態では、この内側面２３ａ，２４ａから隆起している保持部３１，３２，３３，３４が設けられている。
また、リム部２１，２２それぞれと柱部２３との間、及び、リム部２１，２２それぞれと柱部２４との間の各領域、つまりポケット２５の四カ所の隅部１０にリセス部（凹部）２８が設けられている。
【００２１】
図５は、図３に示す保持器セグメント６を含む分割保持器の一部を径方向外側から見た場合の模式的な説明図である。この図５に示すように、各保持器セグメント６は、周方向に隣り合う他の保持器セグメント６に対向する外側面２３ｂ（２４ｂ）を有している。この外側面２３ｂ（２４ｂ）は、柱部２３（２４）が有する面であって、周方向に向く面である。そして、前記のとおり（図２参照）、隣り合う保持器セグメント６の間には、所定の円周方向隙間Ｓ３が設けられている。
このため、円すいころ軸受１が回転すると、隣り合う保持器セグメント６同士が衝突したり接触した状態となったりする。この際、図５に示す隙間Ｓ３を挟んで左側に位置する保持器セグメント６（以下、これを左側保持器セグメント６という。）の柱部２４の外側面２４ｂと、この隙間Ｓ３を挟んで右側に位置する保持器セグメント６（以下、これを右側保持器セグメント６という。）の柱部２３の外側面２３ｂとが衝突（接触）する場合の他に、左側保持器セグメント６が傾くことでその外側面２４ｂの角部５１が、その隣りに存在している右側保持器セグメント６が有する柱部２３の外側面２３ｂの一部に衝突する場合がある。
【００２２】
そこで、本実施形態では、図３及び図５に示すように、左側保持器セグメント６が有する第２柱部２４の外側面２４ｂの径方向に延在する角部５１に、断面が円弧形状となる部分５５ａ（図５の拡大図参照）を含む突出部５５が設けられている。本実施形態では、突出部５５の全体が、断面円弧形状となる部分５５ａになっている。つまり、角部５１に、断面が円弧形状である突出部５５が設けられている。また、この柱部２４の外側面２４ｂの軸方向両側の角部５１それぞれに、突出部５５が設けられている。角部５１は、リム部２２（２１）の外側面２２ｂ（２１ｂ）と、柱部２４の外側面２４ｂとが交差する部分であり、この交差する部分において、突出部５５が設けられている。この突出部５５は、外側面２２ｂ（２１ｂ）から軸方向外側に向かって突出している（張り出している）。なお、突出部５５は、柱部２４の外側面２４ｂから周方向に突出していない。
【００２３】
また、左側保持器セグメント６が有する第１柱部２３においても同様に突出部５６が設けられている。つまり、第１柱部２３の外側面２３ｂの径方向に延在する角部５２に、断面が円弧形状となる部分５６ａを含む突出部５６が設けられている。本実施形態では、突出部５５の全体が、断面円弧形状となる部分５５ａになっている。また、この柱部２３の外側面２３ｂの軸方向両側の角部５２それぞれに、突出部５６が設けられている。角部５２は、リム部２２（２１）の外側面２２ｂ（２１ｂ）と、柱部２３の外側面２３ｂとが交差する部分であり、この交差する部分において、突出部５６が設けられている。この突出部５６は、外側面２２ｂ（２１ｂ）から軸方向外側に向かって突出している（張り出している）。なお、突出部５６は、柱部２３の外側面２３ｂから周方向に突出していない。
【００２４】
以上より、各保持器セグメント６の柱部２４（２３）は、周方向に隣り合う他の保持器セグメント６に対向する外側面２４ｂ（２３ｂ）を有しており、この外側面２４ｂ（２３ｂ）の径方向に延在する角部５１（５２）に、断面が円弧形状となる部分５５ａ（５６ａ）を含む突出部５５（５６）が設けられている。
このように、突出部５５（５６）の断面が円弧形状であることから、周方向に隣り合う保持器セグメント６間で、尖った角部による衝突を防ぐことができ、保持器セグメント６の損傷を防止することが可能となる。
【００２５】
更に、図５の拡大図に示すように、柱部２４の角部５１の断面を円弧形状としても、この円弧形状となる部分は突出部５５からなるため、この柱部２４の外側面２４ｂは、その軸方向両側において、リム部２２の内側面２２ａから外側面２２ｂまでの全幅Ｗと等しい幅を有する接触面６０を有することができ、この接触面６０が、対向する他方の保持器セグメント６における同様の接触面６１と接触することができる。つまり、保持器セグメント６間の接触（衝突）による荷重をリム部２２に直接的に伝達させることが可能となる接触面（６０，６１）の接触幅が減少するのを防ぐことができ、前記接触による荷重（衝撃荷重）に抗する強度が低下するのを防止することが可能となる。
【００２６】
図９は、図５に示す保持器セグメント６の突出部５５，５６の変形例を示す説明図である。図９（Ａ）に示すように、角部５１には、断面が円弧形状となる部分５５ａを含む突出部５５が設けられている。この突出部５５は、断面が円弧形状となる部分５５ａと、断面が直線形状となる部分（斜面部分）５５ｂとを有している。これと同様に、突出部５６は、断面が円弧形状となる部分５６ａと、断面が直線形状となる部分（斜面部分）５６ｂとを有している。
【００２７】
また、図９（Ｂ）に示す突出部５５は、断面が円弧形状となる第１部分５５ａと、断面が円弧形状となる第２部分５５ｃと、これら部分５５ａ，５５ｃを繋ぐ断面が直線形状となる部分５５ｄとを有している。第１部分５５ａは、周方向で隣りに存在して当接可能となる他の保持器セグメント（６）側の部分であり、第２部分５５ｃは、リム部２２の中央側の部分である。これと同様に、突出部５６は、断面が円弧形状となる第１部分５６ａと、断面が円弧形状となる第２部分５６ｃと、これら部分５６ａ，５６ｃを繋ぐ断面が直線形状となる部分５６ｄとを有している。
【００２８】
以上のように、角部５１（５２）には、断面が円弧形状となる部分５５ａ（５６ａ）を含む突出部５５（５６）が設けられているが、この突出部５５（５６）において、断面が円弧形状となる部分５５ａ（５６ａ）は、周方向隣りに存在して当接可能となる他の保持器セグメント（６）側の領域に少なくとも設けられている。すなわち、突出部５５（５６）の断面形状は、完全に１８０度の円弧でなくてもよく、一部に直線部分が含まれていてもよい。
なお、他の変形例として、突出部５５（５６）の断面形状は、図示しないが、両側では直線形状であるがその間に位置する中央が円弧形状であってもよい。
【００２９】
また、図６は、保持器セグメント６の他の形態を示す斜視図である。この保持器セグメント６では、図３に示す保持器セグメント６と同様に、柱部２４（２３）の外側面２４ｂ（２３ｂ）の径方向に延在する角部５１（５２）に、断面が円弧形状となる部分を含む突出部５５（５６）が設けられており、更に、この外側面２４ｂ（２３ｂ）の軸方向に延在する角部５３（５４）にも、断面が円弧形状となる部分を含む突出部５７（５８）が設けられている。
【００３０】
第２柱部２４の前記角部５３は、柱部２４の外側面２４ｂと、この柱部２４の径方向外側に向く面とが交差する部分であり、この交差する部分において、断面が円弧形状となる部分を含む突出部５７が設けられている。そして、図７に示すように、この突出部５７は、リム部２２の径方向外側に向く面２２ｃから径方向外側に向かって突出している（張り出している）。
また、このような角部５３は、柱部２４の外側面２４ｂの径方向外側のみならず、径方向内側にも存在しており、この外側面２４ｂと、柱部２４の径方向内側に向く面とが交差する部分にも、断面が円弧形状となる部分を含む突出部５７が設けられている。そして、図７に示すように、この突出部５７は、リム部２１，２２の径方向内側に向く面２２ｄ（２１ｄ）から径方向内側に向かって突出している（張り出している）。
【００３１】
また、図７に示すように、第１柱部２３の角部５４においても同様に、断面が円弧形状となる部分を含む突出部５８が設けられている。つまり、第１柱部２３の角部５４は、この柱部２３の外側面２３ｂと、この柱部２３の径方向外側に向く面とが交差する部分であり、この交差する部分において、突出部５８が設けられている。この突出部５８は、リム部２２の径方向外側に向く面２２ｃよりも径方向外側に向かって突出している。
また、このような角部５４は、柱部２３の径方向外側のみならず、径方向内側にも存在しており、この外側面２３ｂと、この柱部２３の径方向内側に向く面とが交差する部分において、突出部５８が設けられている。この突出部５８は、リム部２２の径方向内側に向く面２２ｄよりも径方向内側に向かって突出している。
【００３２】
以上の図６及び図７に示す構成を有する保持器セグメント６では、柱部２４（２３）の外側面２４ｂ（２３ｂ）の径方向に延在する角部５１（５２）に、断面が円弧形状となる部分を含む突出部５５（５６）が設けられていると共に、この外側面２４ｂ（２３ｂ）の軸方向に延在する角部５３（５４）にも、断面が円弧形状となる部分を含む突出部５７（５８）が設けられている。
このため、周方向に隣り合う保持器セグメント６間で、尖った角部による衝突を防ぐことができ、保持器セグメント６の損傷を防止することが可能となる。さらに、図３に示す前記実施形態の場合と同様に、保持器セグメント６の角部（５１，５２，５３，５４）の断面を円弧形状としても、この円弧形状となる部分は突出部（５５，５６，５７，５８）からなることから、保持器セグメント６間の接触（衝突）による荷重をリム部２２（２１）に直接的に伝達させることが可能となる接触面の接触幅が減少するのを防ぐことができ、前記接触による荷重（衝撃荷重）に抗する強度が低下するのを防止することが可能となる。
【００３３】
なお、図６に示す実施形態では、柱部２４（２３）の径方向に延在する角部５１（５２）と、軸方向に延在する角部５３（５４）との双方に、断面が円弧形状である突出部を設けた場合について説明したが、径方向に延在する角部５１（５２）の突出部５５（５６）を省略してもよい。つまり、柱部２４（２３）の外側面２４ｂ（２３ｂ）の径方向に延在する角部５１（５２）と、この外側面２４ｂ（２３ｂ）の軸方向に延在する角部５３（５４）との内の少なくとも一方の角部に、断面が円弧形状である突出部が設けられていればよい。
【００３４】
また、図７に示す実施形態では、突出部５７（５８）の全体が、断面円弧形状となる部分になっているが、図９に示す突出部５５（５６）の場合と同様に、突出部５７（５８）の断面形状は、完全に１８０度の円弧でなくてもよく、一部に直線部分が含まれていてもよい。つまり、図８（Ａ）に示すように、例えば、突出部５７は、断面が円弧形状となる部分５７ａと、断面が直線形状となる部分（斜面部分）５７ｂとを有している。また、図８（Ｂ）に示すように、断面が円弧形状となる第１部分５７ａと、断面が円弧形状となる第２部分５７ｃと、これら部分５７ａ，５７ｃを繋ぐ断面が直線形状となる部分５７ｄとを有している。
以上のように、角部５３（５４）には、断面が円弧形状となる部分５７ａ（５８ａ）を含む突出部５７（５８）が設けられているが、この突出部５７（５８）において、断面が円弧形状となる部分５７ａ（５８ａ）は、周方向隣りに存在して当接可能となる他の保持器セグメント（６）側の領域に少なくとも設けられている。
なお、他の変形例として、突出部５７（５８）の断面形状は、図示しないが、両側では直線形状であるがその間に位置する中央が円弧形状であってもよい。
【００３５】
ここで、前記各実施形態に示す分割保持器５を備えている円すいころ軸受１の組み立て、及び保持器セグメント６の位置決めに関して説明する。
この円すいころ軸受１の組み立ての際、図３（図６）において、各保持器セグメント６の径方向外側と径方向内側との内の一方側から、円すいころ４がポケット２５に組み入れられる。なお、前記各実施形態では、保持器セグメント６（ポケット２５）の径方向外側から円すいころ４が組み入れられ、ポケット２５の径方向外側縁が円すいころ４の挿入口となる。
【００３６】
図４において、第１柱部２３は、径方向外側及び径方向内側の双方において、円すいころ４側に突出（隆起）して設けられている第１の外側保持部３１及び第１の内側保持部３２を有している。これと同様に、第２柱部２４は、径方向外側及び径方向内側の双方において、円すいころ４側に突出（隆起）して設けられている第２の外側保持部３３及び第２の内側保持部３４を有している。外側保持部３１と外側保持部３３とは同じ形状であり、内側保持部３２と内側保持部３４とは同じ形状である。
【００３７】
外側保持部３１，３３の（軸方向の各位置における）間隔は、（当該各位置に対応する）円すいころ４の直径よりも小さく設定されている。これと同様に、内側保持部３２，３４の（軸方向の各位置における）間隔は、（当該各位置に対応する）円すいころ４の直径よりも小さく設定されている。なお、前記間隔は、最小間隔である。そして、外側保持部３１，３３が、円すいころ４の外周面４ｃに径方向外側から接触可能であり、内側保持部３２，３５が、円すいころ４の外周面４ｃに径方向内側から接触可能であることによって、この保持器セグメント６の径方向についての位置決めがされる。つまり、これら保持部３１，３２，３３，３４によって、保持器セグメント６は径方向についてころ案内される。なお、軸方向についての位置規制は、リム部２１，２２の内側面２１ａ，２２ａが円すいころ４の端面４ａ，４ｂ（図１参照）に接触することで行われる。
【００３８】
図３及び図４に示すように、第１柱部２３の内側保持部３２は、柱部２３の径方向内側の領域において柱部２３の内側面２３ａから周方向に突出して設けられており、この内側保持部３２は、柱部２３の軸方向全長にわたって設けられている（図３参照）。なお、第２柱部２４の内側保持部３４も、第１柱部２３の内側保持部３２と同様の構成である。
【００３９】
また、図３及び図４に示すように、第１柱部２３の外側保持部３１は、柱部２３の径方向外側の領域において柱部２３の内側面２３ａから周方向に突出して設けられており、この外側保持部３１は、軸方向全長ではなく、柱部２３の一部である中央領域にのみ設けられている（図３参照）。なお、第２柱部２４の外側保持部３３も、第１柱部２３の外側保持部３１と同様の構成である。このように、円すいころ４がポケット２５に組み入れられる径方向外側に位置する外側保持部３１（３３）は、柱部２３（２４）の軸方向の中央領域にのみ設けられており、軸方向の両側領域には存在していない。
【００４０】
このような分割保持器５を備えている円すいころ軸受１の組み立ての際、保持器セグメント６のポケット２５に円すいころ４を径方向外側から組み入れるためには、円すいころ４は、柱部２３，２４の外側保持部３１，３３を乗り越える必要があり、そして、この乗り越えの際には、これら外側保持部３１，３３を含む柱部２３，２４が弾性変形する。つまり、円すいころ４をポケット２５へ組み入れる作業は、外側保持部３１，３３を含む柱部２３，２４が円すいころ４に押されて弾性変形することにより、可能となる。なお、この柱部２３（２４）が弾性変形する態様は、その両側に位置するリム部２１，２２が支点（固定端）となりかつ中央領域に荷重が作用する梁の曲げの態様となる。したがって、この支点に含まれるポケット２５の隅部１０における応力は、柱部２３（２４）の他部（軸方向中央部）に比べて大きくなる。
【００４１】
そこで、本実施形態では、円すいころ４が組み入れられる側に位置する外側保持部３１，３３は、柱部２３，２４の軸方向の中央領域にのみ設けられており、軸方向の両側領域には存在していない。このため、この組み入れる作業の際、柱部２３，２４では、軸方向の中央領域において比較的大きく弾性変形するが、その軸方向両側の領域においては大きく変形しないで済む。このため、ポケット２５の隅部１０に発生する局部応力（応力集中）を軽減することができ、この隅部を起点とする保持器セグメント６の損傷を防ぐことが可能となる。
【００４２】
以上、本発明の保持器５は、図示する形態に限らず本発明の範囲内において他の形態のものであってもよい。前記実施形態では、ころを円すいころとして説明したが、円筒ころであってもよい。また、前記実施形態では（図３参照）、内側保持部３２は、柱部２３，２４の全長にわたって形成されている場合について説明したが、この内側保持部３２も、柱部の軸方向の一部（中央領域又は両側部の領域）にのみ設けられている構成であってもよい。
【符号の説明】
【００４３】
１：ころ軸受    ２：内輪    ３：外輪
４：円すいころ    ５：分割保持器    ６：保持器セグメント
２１：第１リム部    ２２：第２リム部    ２３：第１柱部
２３ｂ：外側面    ２４：第２柱部    ２４ｂ：外側面
２５：ポケット    ５１：角部    ５２：角部
５３：角部    ５４：角部    ５５：突出部
５６：突出部    ５７：突出部    ５８：突出部
５５ａ：断面が円弧形状となる部分    ５６ａ：断面が円弧形状となる部分
５７ａ：断面が円弧形状となる部分    ５８ａ：断面が円弧形状となる部分
【図１】
2015152045.tif 000003
【図２】
2015152045.tif 000004
【図３】
2015152045.tif 000005
【図４】
2015152045.tif 000006
【図５】
2015152045.tif 000007
【図６】
2015152045.tif 000008
【図７】
2015152045.tif 000009
【図８】
2015152045.tif 000010
【図９】
2015152045.tif 000011
【図１０】
2015152045.tif 000012
【図１１】
2015152045.tif 000013